(57)【要約】【課題】カメラブラケットをカメラ本体に取り付けることなく、複数のアクセサリーを装着して同時に使用することができるカメラ用アクセサリーおよびアクセサリーシューアタッチメントを提供する。【解決手段】カメラ本体のアクセサリーシューに装着されるビューファインダー５に対して着脱自在に取り付けられる取付部品１と、この取付部品１に備えられた第二のアクセサリーシュー２と、取付部品１をビューファインダー５に固定する固定ネジ３と、から構成されることを特徴とするアクセサリーシューアタッチメント４である。【選択図】図３
2008070544.tif 000002
【特許請求の範囲】
【請求項１】
カメラ本体のアクセサリーシューに装着されるアクセサリーに、第二のアクセサリーシューを備えてなることを特徴とするカメラ用アクセサリー。
【請求項２】
上記アクセサリーがビューファインダーである請求項１記載のカメラ用アクセサリー。
【請求項３】
カメラ本体のアクセサリーシューに装着されるアクセサリーに対して着脱自在に取り付けられる取付部品と、この取付部品に備えられた第二のアクセサリーシューと、上記取付部品を上記アクセサリーに固定する固定手段とから構成されることを特徴とするアクセサリーシューアタッチメント。
【請求項４】
上記アクセサリーがビューファインダーである請求項３記載のアクセサリーシューアタッチメント。
【請求項５】
上記固定手段として固定ネジを有し、この固定ネジは上記ビューファインダーの接眼窓を覗くことができる筒孔を備え、取付方向において前側に上記ビューファインダーのアイピース用ネジ部に螺合し得るネジ部を有し、後側に上記取付部品固定用の鍔部を有し、上記取付部品に形成されている開口部を通して上記固定ネジのネジ部を上記アイピース用ネジ部に螺合するように構成されている請求項４記載のアクセサリーシューアタッチメント。
【請求項６】
上記取付部品がＬ字状に折り曲げられたプレート部材からなり、Ｌ字を構成する一方のプレート部に上記開口部が形成され、他方のプレート部に上記第二のアクセサリーシューが設けられている請求項５記載のアクセサリーシューアタッチメント。
【請求項７】
上記取付部品に、上記ビューファインダーの上面と当接して上記取付部品の振れを防止する振止め部が形成されている請求項４〜６のいずれか１項に記載のアクセサリーシューアタッチメント。
【発明の詳細な説明】
【技術分野】
【０００１】
本発明は、カメラ本体に、ファインダーやフラッシュ等の複数のアクセサリーを装着して同時に使用することができるようにしたカメラ用アクセサリーおよびアクセサリーシューアタッチメントに関するものである。
【背景技術】
【０００２】
従来、図４に示すように超広角レンズ５０を用いてカメラ撮影を行なう場合、カメラ本体５１のアクセサリーシュー５２に専用のビューファインダー５３（例えば１５ｍｍの超広角レンズを使用する場合には１５ｍｍ用のビューファインダー）を装着し、そのビューファインダー５３を覗くことによって超広角の全視野を確認している。
【０００３】
上記アクセサリーシュー５２はカメラ本体上部に一つしか備えられていないため、ビューファインダー５３を装着すると、ビューファインダー５３以外のアクセサリー、例えばフラッシュ等についてはカメラに装着することができなくなる。
【０００４】
そこで、ビューファインダー５３とフラッシュとを同時に使用したい場合には、例えば図５に示すようなカメラブラケット５４（例えば、特許文献１参照）が用意されている。
【０００５】
カメラ本体５１の底部に備えられている三脚孔に取付ネジ５４ａを螺合することによってカメラブラケット５４の下部ユニット５４ｂをまずカメラ本体５１に固定し、次にアクセサリー取付ユニット５４ｃに設けられているアクセサリーシュー５４ｄにフラッシュを取り付ければ、ビューファインダー５３とフラッシュを同時に使用することができるようになる。
【特許文献１】登録実用新案公報  第３００１５４５号（第（３）頁、図１）
【発明の開示】
【発明が解決しようとする課題】
【０００６】
しかしながら、上記カメラブラケット５４を利用する場合、別部品であるブラケットをカメラ本体５１に固定し、固定したカメラブラケット５４にさらにフラッシュを装着しなければならずフラッシュ装着操作が繁雑になるという欠点がある。また、別部品を使用するとカメラの機動性も損なわれる。
【０００７】
本発明は以上のような、複数のアクセサリーをカメラ本体に装着する場合の課題を考慮してなされたものであり、カメラブラケットをカメラ本体に取り付けることなく、複数のアクセサリーを装着して同時に使用することができるカメラ用アクセサリーおよびアクセサリーシューアタッチメントを提供するものである。
【課題を解決するための手段】
【０００８】
本発明の第一の形態は、カメラ本体のアクセサリーシューに装着されるアクセサリーに、第二のアクセサリーシューを備えてなるカメラ用アクセサリーである。
【０００９】
本発明の第二の形態は、カメラ本体のアクセサリーシューに装着されるアクセサリーに対して着脱自在に取り付けられる取付部品と、この取付部品に備えられた第二のアクセサリーシューと、取付部品をアクセサリーに固定する固定手段とから構成されることを特徴とするアクセサリーシューアタッチメントである。
【００１０】
上記アクセサリーの一具体例としてはビューファインダーが示される。このビューファインダーとしては、超広角用、望遠用ビューファインダー、さらにはスポーツファインダー等が含まれる。
【００１１】
また、上記固定手段として固定ネジを有する場合、この固定ネジはビューファインダーの接眼窓を覗くことができる筒孔を備え、取付方向において前側にビューファインダーのアイピース用ネジ部に螺合し得るネジ部を有し、後側に取付部品固定用の鍔部を有するもので構成し、取付部品に形成されている開口部を通して固定ネジのネジ部をアイピース用ネジ部に螺合すれば、ビューファインダーを改造することなく取付部品を固定することができる。
【００１２】
上記取付部品をＬ字状に折り曲げられたプレート部材で構成し、Ｌ字を構成する一方のプレート部に上記開口部を形成し、他方のプレート部に第二のアクセサリーシューを設けることが好ましい。
【００１３】
また、上記取付部品に、ビューファインダーの上面と当接して取付部品の振れを防止する振止め部を形成することができる。
【発明の効果】
【００１４】
本発明のカメラ用アクセサリーおよびアクセサリーシューアタッチメントによれば、カメラブラケットをカメラ本体に取り付けることなく、複数のアクセサリーを装着して同時に使用することができるという長所を有する。
【発明を実施するための最良の形態】
【００１５】
以下、図面に示した実施の形態に基づいて本発明を詳細に説明する。
【００１６】
本発明のアクセサリーシューアタッチメントは、カメラ本体のアクセサリーシューに装着されるアクセサリーに対して着脱自在に取り付けられる取付部品と、その取付部品に備えられる第二のアクセサリーシューと、取付部品をアクセサリーに固定するための固定ネジとから主として構成されている。
【００１７】
図１は、上記取付部品１の構成を示したものであり、同図(ａ)は平面図、(ｂ)は正面図、(ｃ)は側面図である。
【００１８】
取付部品１は、金属製板材をＬ字状に折り曲げ加工することによって縦プレート部１ａと横プレート部１ｂとが形成されており（図１(ｃ)参照）、縦プレート部１ａには後述する固定ネジを挿通するための円形の開口Ｓが形成されている。
【００１９】
取付部品下部１ｃは、上記開口Ｓの内周縁に沿って半円状に形成されており、それにより、リング状の固定部１ｄが形成されている。
【００２０】
一方、取付部品上部１ｅは第二のアクセサリーシュー２の横幅Ｗに合わせて若干先細に形成されている。
【００２１】
また、取付部品上部１ｅから装着方向（ビューファインダーに対し）に向けて９０°折り曲げられた横プレート部１ｂの上面には第二のアクセサリーシュー２が固定されている。
【００２２】
第二のアクセサリーシュー２を固定するには、例えば、第二のアクセサリーシュー２の下面から垂下させたピンを、横プレート部１ｂに形成した貫通孔に圧入することによって固定することができ、また、接着剤を用いて固定することもできる。
【００２３】
また、縦プレート部１ａにおける開口Ｓの上方には振れ止め板１ｆが横方向に延設されている。
【００２４】
この振れ止め板１ｆは、取付部品１が装着されるビューファインダーの天板に当接するように配置されており、ビューファインダーに装着した取付部品１が矢印Ａ方向またはＢ方向（図１(ｂ)参照）に傾くことを防止するようになっている。
【００２５】
図２は上記開口Ｓに挿通される固定ネジ（固定手段）３の構成を示しており、(ａ)は接眼側となる正面図、(ｂ)は側面図を示している。
【００２６】
両図において、固定ネジ３は、装着方向における前側に、ビューファインダーのアイピース用ネジ部と螺合し得る雄ネジ部３ａを有し、後側に雄ネジ部３ａの外径よりも大径の鍔部３ｂが形成されている。なお、この鍔部３ｂは取付部品１装着時において指でつかむ部分となり、その外周面には滑止め溝３ｃが多数刻まれている。
【００２７】
この固定ネジ３には貫通孔Ｍが形成されており、この固定ネジ３を用いて取付部品１をビューファインダーに装着した場合には、上記貫通孔Ｍを通してビューファインダーの接眼窓が覗けるようになっている。
【００２８】
図３は上記構成を有するアクセサリーシューアタッチメント４をビューファインダー５に装着した状態を示しており、(ａ)は平面図、(ｂ)は正面図、(ｃ)は側面図を示している。
【００２９】
本実施形態で使用するビューファインダー５は、超広角レンズを使用する場合に併用される例えば１５ｍｍ用のビューファインダーであり、その下面にはアクセサリーシューに取り付けるための脚部６が備えられている。
【００３０】
ビューファインダー５の接眼部には通常、アイピースが取り付けられているが、そのアイピースを取り外した後の雌ネジ部を利用してアクセサリーシューアタッチメント４を装着するようになっている。
【００３１】
アクセサリーシューアタッチメント４を装着する場合、まず、ビューファインダー５の接眼部に取付部品１の開口Ｓを対向させる。
【００３２】
次に、固定ネジ３の雄ネジ部３ａを上記開口Ｓに挿通する。開口Ｓの直径は雄ネジ部３ａの外径よりも若干大きいサイズに形成されているため、雄ネジ部３ａを遊嵌できるようになっているが、鍔部３ｂの外径は開口Ｓの直径よりも大きいため、固定ネジ３を開口Ｓに挿入した場合には、鍔部３ｂがリング状の固定部１ｄと当接し雄ネジ部３ａのみが縦プレート部１ａの装着側面から突出することになる。
【００３３】
この突出した雄ネジ部３ａをビューファインダー５のアイピース用雌ネジ部に螺合させる。
【００３４】
それにより、縦プレート部１ａは固定ネジ３の鍔部３ｂとビューファインダー５の接眼窓周囲の壁５ａとの間に挟まれた状態で締め付け固定され（図３(ｃ)参照）、それにより、アクセサリーシューアタッチメント４がビューファインダー５に固定される。
【００３５】
また、このとき、縦プレート部１ａに形成されている振れ止め板１ｆがビューファインダー５の上面５ｂに面状に当接するため、アクセサリーシューアタッチメント４を安定した状態でビューファインダー５に固定させることができる。
【００３６】
このようにしてビューファインダー５の上部にさらに第二のアクセサリーシュー２が設けられるため、この第二のアクセサリーシュー２にフラッシュを装着すれば、ビューファインダー５とファインダーを同時に使用することが可能になる。
【００３７】
なお、上記実施形態では超広角レンズ用のビューファインダーを例示して説明したが、本発明のアクセサリーシューアタッチメントが適用されるビューファインダーは、広角用に限らず、望遠用にも適用することができ、また、スポーツファインダーにも適用することもできる。
【００３８】
また、上記取付部品１をビューファインダー５に固定して一体化することもできる、ただし、この場合は振れ止め板は不要となる。
【００３９】
また、ビューファインダー５の天板に第二のアクセサリーシュー２を直接固定し、カメラ用アクセサリーとすることもできる。
【００４０】
また、縦プレート部１ａから横方向にプレートを延設し、その延設したプレートの上部に第三のアクセサリーシューを設けることもできる。このように構成すれば、上記したフラッシュの装着に加え、例えば水準器等をさらに装着することが可能になる。
【図面の簡単な説明】
【００４１】
【図１】本発明に係る取付部品の構成を示したものであり、(ａ)は平面図、(ｂ)は正面図、(ｃ)は側面図である。
【図２】(ａ)は本発明に係る固定ネジの構成を示す正面図、(ｂ)は側面図である。
【図３】本発明に係るアクセサリーシューアタッチメントをビューファインダーに装着した状態を示したものであり、(ａ)は平面図、(ｂ)は正面図、(ｃ)は側面図である。
【図４】従来のビューファインダー装着状態を示す斜視図である。
【図５】従来のアクセサリー増設用カメラブラケットの構成を示す斜視図である。
【符号の説明】
【００４２】
１    取付部品
１ａ  縦プレート部
１ｂ  横プレート部
１ｃ  取付部品下部
１ｄ  固定部
１ｅ  取付部品上部
１ｆ  振れ止め板
２    第二のアクセサリーシュー
３    固定ネジ
３ａ  雄ネジ部
３ｂ  鍔部
３ｃ  滑止め溝
４    アクセサリーシューアタッチメント
５    ビューファインダー
【図１】
2008070544.tif 000003
【図２】
2008070544.tif 000004
【図３】
2008070544.tif 000005
【図４】
2008070544.tif 000006
【図５】
2008070544.tif 000007